(57)【要約】【課題】コネクタカバーを交換せずともコネクタハウジングからの電線の導出方向の変更に対応することができ、コネクタハウジングからの電線の導出方向の変更によりコネクタカバーが多種化することを抑止することのできるコネクタカバーを提供すること。【解決手段】コネクタハウジング２０の後端２１に取り付けられて電線４０の導出方向を規制するコネクタカバー１であって、コネクタハウジング２０の後端２１に固定されると共に自体の後端２１１側の対向する２位置に電線４０の導出口２１２を有したハウジング固定部材２１０と、ハウジング固定部材２１０の後端２１１に回動可能に取り付けられる電線案内部材２２０と、を備え、電線案内部材２２０は、回動操作によりハウジング固定部材２１０の後端２１１の２つの導出口２１２の一方を択一的に閉じて、他方の導出口２１２から電線４０が導出される状態に電線４０の導出方向を規制する。【選択図】図６
2013110026.tif 000002
【特許請求の範囲】
【請求項１】
コネクタハウジングの後端に取り付けられて、コネクタハウジングの後端から導出される電線の導出方向を規制するコネクタカバーであって、
前記コネクタハウジングの後端に固定されると共に、後端側の対向する２位置に前記電線の導出口を有したハウジング固定部材と、
前記ハウジング固定部材とは別体に形成され、前記ハウジング固定部材の後端に回動可能に取り付けられると共に、回動操作により前記ハウジング固定部材の後端の２つの導出口の一方を択一的に閉じて、他方の導出口から電線が導出される状態に電線の導出方向を規制する電線案内部材と、
を備えたことを特徴とするコネクタカバー。
【請求項２】
前記電線案内部材を回動可能に前記ハウジング固定部材に連結する手段として、前記ハウジング固定部材の後端を横断する１本の軸線に沿って前記ハウジング固定部材又は前記電線案内部材の何れか一方に突設された連結軸と、他方に設けられて前記連結軸を回動可能に支持する軸受部と、を備え、
前記電線案内部材を前記ハウジング固定部材の後端の２つの導出口の一方を択一的に閉じた状態に固定する手段として、前記ハウジング固定部材又は前記電線案内部材の何れか一方に突設された突起と、他方に設けられて前記突起と係合することで前記電線案内部材の回動を規制する係止凹部と、を備えたことを特徴とする請求項１に記載のコネクタカバー。
【発明の詳細な説明】
【技術分野】
【０００１】
本発明は、コネクタハウジングの後端に取り付けられて、コネクタハウジングの後端から導出される電線の導出方向を規制するコネクタカバーに関する。
【背景技術】
【０００２】
図８及び図９は、下記特許文献１に開示されたコネクタカバーを示している。
このコネクタカバー１００は、コネクタハウジング１１０の後端１１１に取り付けられて、コネクタハウジング１１０の後端から導出される電線の導出方向を規制する。
【０００３】
コネクタハウジング１１０は、収容する端子金具に接続された電線が、後端１１１から矢印Ｘ１で示す方向に導出する。コネクタハウジング１１０の後端１１１の両外側面には、カバー案内リブ１１２と、カバー係止部１１３と、が備えられている。
【０００４】
カバー案内リブ１１２は、後端１１１に対するコネクタカバー１００の嵌合装着方向（図８の矢印Ｘ１方向とは、逆方向）に沿って延在するリブ状に、後端１１１の側面に形成されている。このカバー案内リブ１１２は、コネクタカバー１００を後端１１１に嵌合装着する際に、コネクタカバー１００を嵌合方向に誘導する。
【０００５】
カバー係止部１１３は、後端１１１に対するコネクタカバー１００の嵌合装着が完了したときにコネクタカバー１００と係合して、コネクタカバー１００を固定する。
【０００６】
コネクタカバー１００は、コネクタハウジング１１０の後端に固定されるハウジング固定部１０１と、ハウジング固定部１０１の後端に一体形成された電線案内部１０２と、を備えている。
【０００７】
ハウジング固定部１０１は、コネクタハウジング１１０の後端１１１から導出する電線を収容する筒状又は樋状を成している。このハウジング固定部１０１は、コネクタハウジング１１０の後端１１１の両側面に被さる両側壁部１０１ａに、リブ係合溝１０３と、ハウジング係合部１０４と、を備えている。
【０００８】
リブ係合溝１０３は、カバー案内リブ１１２が挿入されることで、コネクタハウジング１１０に対するコネクタカバー１００の嵌合装着時におけるコネクタカバー１００の移動方向を規制する。
【０００９】
ハウジング係合部１０４は、コネクタカバー１００がコネクタハウジング１１０に対して正規の嵌合完了位置に到達したときに、カバー係止部１１３と係合することでコネクタカバー１００をコネクタハウジング１１０の後端１１１に固定する突起である。
【００１０】
コネクタハウジング１１０の後端１１１に嵌合装着されるハウジング固定部１０１には、端子押し込み突片１０６が、装備されている。
【００１１】
端子押し込み突片１０６は、コネクタカバー１００のコネクタハウジング１１０への嵌合に伴ってコネクタハウジング１１０の端子挿入孔に挿入されて、前記端子挿入孔内の中途挿入状態の端子金具を正規の挿入完了位置に押し込む。
【００１２】
電線案内部１０２は、図８及び図９に示すように、ハウジング固定部１０１の後方を覆って、コネクタカバー１００のコネクタハウジング１１０への嵌合方向と直交する一方側（図８では、矢印Ｙ１に示す下方）に延出している。この電線案内部１０２は、コネクタハウジング１１０の後端からハウジング固定部１０１内に引き込まれた電線を、矢印Ｙ１方向に導出させる。即ち、電線案内部１０２は、コネクタハウジング１１０からの電線の導出方向を、図８の矢印Ｙ１方向に規制する。
【先行技術文献】
【特許文献】
【００１３】
【特許文献１】特開２０００−３４８８１０号公報
【発明の概要】
【発明が解決しようとする課題】
【００１４】
ところが、特許文献１のコネクタカバー１００は、コネクタハウジング１１０に取り付ける向きが１通りであり、電線の導出方向も電線案内部１０２の延出方向の１通りである。
【００１５】
そのため、コネクタハウジング１１０からの電線の導出方向を変更する場合には、ハウジング固定部１０１の後端からの電線案内部１０２の延出方向を変更した新たなコネクタカバーを用意しておかなければならない。
【００１６】
言い換えれば、コネクタハウジングからの電線の導出方向の変更によりコネクタカバーが多種化するという問題が生じた。
【００１７】
そこで、本発明の目的は、上記課題を解消することに係り、コネクタカバーを交換せずともコネクタハウジングからの電線の導出方向の変更に対応することができ、コネクタハウジングからの電線の導出方向の変更によりコネクタカバーが多種化することを抑止することのできるコネクタカバーを提供することにある。
【課題を解決するための手段】
【００１８】
本発明の前述した目的は、下記の構成により達成される。
（１）コネクタハウジングの後端に取り付けられて、コネクタハウジングの後端から導出される電線の導出方向を規制するコネクタカバーであって、
前記コネクタハウジングの後端に固定されると共に、後端側の対向する２位置に前記電線の導出口を有したハウジング固定部材と、
前記ハウジング固定部材とは別体に形成され、前記ハウジング固定部材の後端に回動可能に取り付けられると共に、回動操作により前記ハウジング固定部材の後端の２つの導出口の一方を択一的に閉じて、他方の導出口から電線が導出される状態に電線の導出方向を規制する電線案内部材と、
を備えたことを特徴とするコネクタカバー。
【００１９】
（２）前記電線案内部材を回動可能に前記ハウジング固定部材に連結する手段として、前記ハウジング固定部材の後端を横断する１本の軸線に沿って前記ハウジング固定部材又は前記電線案内部材の何れか一方に突設された連結軸と、他方に設けられて前記連結軸を回動可能に支持する軸受部と、を備え、
前記電線案内部材を前記ハウジング固定部材の後端の２つの導出口の一方を択一的に閉じた状態に固定する手段として、前記ハウジング固定部材又は前記電線案内部材の何れか一方に突設された突起と、他方に設けられて前記突起と係合することで前記電線案内部材の回動を規制する係止凹部と、を備えたことを特徴とする上記（１）に記載のコネクタカバー。
【００２０】
上記（１）の構成によれば、コネクタハウジングの後端から導出される電線の導出方向は、電線案内部材を回動させて当該電線案内部材により閉塞される導出口を切り替えることで、２つの導出方向の何れにも、切り替えることができる。
【００２１】
従って、コネクタカバーを交換せずとも、コネクタハウジングからの電線の導出方向の変更に電線案内部材の回動操作だけで対応することができ、コネクタハウジングからの電線の導出方向の変更によりコネクタカバーが多種化することを抑止することができる。
【００２２】
上記（２）の構成によれば、電線案内部材は、ハウジング固定部材と電線案内部材との間に形成された連結軸と軸受部との嵌合により、前記連結軸の軸線と直交する方向に回動可能であり、電線の導出方向として、前記連結軸の軸線と直交する方向に対向する２方向の何れかを選択することが可能になる。
【００２３】
また、回動させた電線案内部材は、ハウジング固定部材と電線案内部材との間に形成された突起と係止凹部との係合により所定の回動位置に固定されるため、電線の導出方向をしっかりと規制することができる。
【発明の効果】
【００２４】
本発明によるコネクタカバーによれば、コネクタハウジングの後端から導出される電線の導出方向は、電線案内部材の回動操作により、２つの導出方向の何れにも、切り替えることができる。
【００２５】
従って、コネクタカバーを交換せずとも、コネクタハウジングからの電線の導出方向の変更に電線案内部材の回動操作だけで対応することができ、コネクタハウジングからの電線の導出方向の変更によりコネクタカバーが多種化することを抑止することができる。
【図面の簡単な説明】
【００２６】
【図１】本発明に係るコネクタカバーが取り付けられるカバー付きコネクタの一実施形態の分解斜視図である。
【図２】図１のコネクタハウジングに収容される端子金具の斜視図である。
【図３】図１のコネクタハウジングにコネクタカバーが取り付けられた状態の斜視図である。
【図４】図３のカバー付きコネクタにおいて、コネクタカバーが下方に回動操作された状態の斜視図である。
【図５】図４に示したコネクタカバーがコネクタハウジングの後端に固定される構造を示す縦断面図である。
【図６】図５に示したコネクタカバーによって電線の導出方向が上方に規制されている状態を示す縦断面図である。
【図７】図５とは逆側（上側）にコネクタカバーが回動操作されて、電線の導出方向が下側に切り替えられている状態を示す縦断面図である。
【図８】従来のコネクタカバーを備えたカバー付きコネクタの組立前の状態の側面図である。
【図９】図８に示したカバー付きコネクタの組立後の側面図である。
【発明を実施するための形態】
【００２７】
以下、本発明に係るコネクタカバーの好適な実施形態について、図面を参照して詳細に説明する。
【００２８】
図１〜図６は本発明に係るコネクタカバーが取り付けられるカバー付きコネクタの一実施形態を示したもので、図１は一実施形態のカバー付きコネクタの分解斜視図、図２は図１のコネクタハウジングに収容される端子金具の斜視図、図３は図１のコネクタハウジングにコネクタカバーが取り付けられた状態の斜視図、図４は図３のカバー付きコネクタにおいて、コネクタカバーが下方に回動操作された状態の斜視図、図５は図４に示したコネクタカバーがコネクタハウジングの後端に固定される構造を示す縦断面図、図６は図５に示したコネクタカバーによって電線の導出方向が上方に規制されている状態を示す縦断面図である。
【００２９】
この一実施形態のコネクタカバー１は、コネクタハウジング２０の後端２１に取り付けられて、コネクタハウジング２０の後端２１から導出される電線４０の導出方向を規制する。
【００３０】
コネクタカバー１が取り付けられるコネクタハウジング２０は、複数個の端子収容孔２２が、後端２１から前端に向かって、貫通形成されている。端子収容孔２２には、図２に示すように電線４０の端部に圧着接続された端子金具３０が、挿入装着される。端子収容孔２２内には、図６に示すように、ランス２３が設けられている。ランス２３は、規定の嵌合完了位置まで挿入された端子金具３０を係止して、端子金具３０を抜け止めする。
【００３１】
コネクタハウジング２０は、収容する端子金具３０に接続された電線４０が、図１に示すように、後端２１から矢印Ｘ２で示す方向に導出する。コネクタハウジング２０の後端２１の両外側面には、カバー案内リブ２５と、カバー係止部２６と、が備えられている。
【００３２】
カバー案内リブ２５は、後端２１に対するコネクタカバー１の嵌合装着方向（図１の矢印Ｘ２とは逆方向）に沿って延在するリブ状に、後端２１の側面に形成されている。このカバー案内リブ２５は、コネクタカバー１を後端２１に嵌合装着する際に、コネクタカバー１を嵌合方向に誘導する。
【００３３】
カバー係止部２６は、後端２１に対するコネクタカバー１の嵌合装着が完了したときにコネクタカバー１と係合して、コネクタカバー１を固定する。
【００３４】
本実施形態のコネクタカバー１は、コネクタハウジング２０の後端２１に固定されるハウジング固定部材２１０と、ハウジング固定部材２１０の後端２１に回動可能に取り付けられる電線案内部材２２０と、を備えている。
【００３５】
ハウジング固定部材２１０は、コネクタハウジング２０の後端２１から導出する電線を収容する略筒状の構造を成している。また、ハウジング固定部材２１０は、その後端２１１側の上下方向（図６では、矢印Ｙ２方向）に対向する２位置に、電線４０を導出させる導出口２１２を有している。
【００３６】
本実施形態のハウジング固定部材２１０は、図１に示すように、その前端側に、端子押し込み突片２１４と、リブ係合溝２１５と、ハウジング係合部２１６と、を備えている。
【００３７】
端子押し込み突片２１４は、ハウジング固定部材２１０のコネクタハウジング１１０への嵌合に伴って、コネクタカバー１の端子収容孔２２に挿入されて、端子収容孔２２内の中途挿入状態の端子金具３０を正規の挿入完了位置に押し込む。
【００３８】
上記のリブ係合溝２１５とハウジング係合部２１６は、コネクタハウジング２０の後端２１の両側面に被さる前端側の両側壁部２１７に、形成されている。
【００３９】
リブ係合溝２１５は、カバー案内リブ２５が挿入されることで、コネクタハウジング２０に対するハウジング固定部材２１０の嵌合装着時におけるハウジング固定部材２１０の移動方向を規制する。
【００４０】
ハウジング係合部２１６は、ハウジング固定部材２１０がコネクタハウジング２０に対して正規の嵌合完了位置に到達したときに、カバー係止部２６と係合することで、ハウジング固定部材２１０をコネクタハウジング２０の後端２１に固定する突起である。
【００４１】
電線案内部材２２０は、ハウジング固定部材２１０とは別体に形成された部材である。
この電線案内部材２２０は、ハウジング固定部材２１０の後端２１１に回動可能に取り付けられ、回動操作によりハウジング固定部材２１０の後端２１１の上下２つの導出口２１２の一方を択一的に閉じて、他方の導出口２１２から電線４０が導出される状態に電線４０の導出方向を規制する。図６はハウジング固定部材２１０の下方側の導出口２１２が電線案内部材２２０により閉じられた状態であり、図７はハウジング固定部材２１０の上方側の導出口２１２が電線案内部材２２０により閉じられた状態である。
【００４２】
電線案内部材２２０は、構造的には、ハウジング固定部材２１０の両側壁部２１７の上に重なる一対の側壁部２２１と、これらの側壁部２２１相互を連結する電線規制壁部２２２と、を備える。電線規制壁部２２２は、側面視（図５に示す状態）で、略Ｌ字型に湾曲した壁部材で、電線案内部材２２０が図６に示すように下方に回動移動したときには、ハウジング固定部材２１０の下側の導出口２１２と、ハウジング固定部材２１０の後方側を覆う。また、電線規制壁部２２２は、電線案内部材２２０が図７に示すように、上方に回動移動したときには、ハウジング固定部材２１０の上側の導出口２１２と、ハウジング固定部材２１０の後方側を覆う。
【００４３】
本実施形態におけるコネクタカバー１は、電線案内部材２２０を回動可能にハウジング固定部材２１０に連結する手段として、図１に示すように、連結軸２３１と、軸受部２３２とを備えている。
【００４４】
連結軸２３１は、ハウジング固定部材２１０の側壁部２１７の外面に突設された軸である。この連結軸２３１は、ハウジング固定部材２１０の後端２１１を幅方向（図１では、矢印Ｗ１方向）に横断する１本の軸線Ｊ１に沿って突設されている。
【００４５】
軸受部２３２は、連結軸２３１が回転可能に嵌合する軸受穴であり、電線案内部材２２０の両側壁部２２１に貫通形成されている。
【００４６】
電線案内部材２２０は、図３及び図４に示すように、連結軸２３１と軸受部２３２との嵌合により、連結軸２３１回りに回動可能に、ハウジング固定部材２１０の後端に連結される。
【００４７】
なお、図３に示した電線案内部材２２０の取り付け状態は、電線案内部材２２０がハウジング固定部材２１０に取り付けられた初期状態である。このとき、電線案内部材２２０は、回動範囲の中間である中立位置にあり、ハウジング固定部材２１０の後端２１１の上下の導出口２１２を、何れも開放状態にしている。この中立位置よりも下方側に回動移動させると図４〜図６に示した状態となり、上方側に回動移動させると図７に示した状態になる。
【００４８】
更に、本実施形態におけるコネクタカバー１は、電線案内部材２２０をハウジング固定部材２１０の後端２１１の２つの導出口２１２の一方を択一的に閉じた状態に固定する手段として、ハウジング固定部材２１０に形成された突起２４１と、電線案内部材２２０に形成された係止凹部２４２と、を備える。
【００４９】
突起２４１は、図４及び図５に示すように、ハウジング固定部材２１０の側壁部２１７の後端部の上下に、それぞれ突設されている。
【００５０】
係止凹部２４２は、突起２４１と係合可能な凹部で、図５に示すように、電線案内部材２２０における電線規制壁部２２２の上下の端縁付近に装備されている。
【００５１】
図５及び図６に示すように電線案内部材２２０がハウジング固定部材２１０に対して下方側に回動移動したときには、電線規制壁部２２２の下端縁側に装備された係止凹部２４２が、後端２１１の下側の突起２４１に係合して、電線案内部材２２０はハウジング固定部材２１０の下側の導出口２１２を閉じた状態に固定される。
【００５２】
一方、図７に示すように電線案内部材２２０がハウジング固定部材２１０に対して上方側に回動移動したときには、電線規制壁部２２２の上端縁側に装備された係止凹部２４２が、後端２１１の上側の突起２４１に係合して、電線案内部材２２０はハウジング固定部材２１０の上側の導出口２１２を閉じた状態に固定される。
【００５３】
更に、本実施形態におけるコネクタカバー１は、ハウジング固定部材２１０の後端２１１に対して電線案内部材２２０を図３に示した中立位置に固定する手段として、図１に示すように、ハウジング固定部材２１０に形成された突起２５１と、電線案内部材２２０に形成された係止凹部２５２と、を備える。
【００５４】
突起２５１は、図３に示すように、ハウジング固定部材２１０の側壁部２１７の表面に、矢印Ｘ４方向に延在するリブ状に形成されている。
【００５５】
係止凹部２５２は、図３に示すように突起２５１と係合可能な凹部で、図３の矢印Ｘ４方向に沿って延在する溝状に、側壁部２２１の内面に形成されている。
【００５６】
以上に説明した一実施形態のコネクタカバー１の場合、コネクタハウジング２０の後端２１から導出される電線４０の導出方向は、電線案内部材２２０を回動させて当該電線案内部材２２０により閉塞される導出口２１２を切り替えることで、２つの導出方向の何れにも、切り替えることができる。
【００５７】
従って、コネクタカバー１を交換せずとも、コネクタハウジング２０からの電線４０の導出方向の変更に電線案内部材２２０の回動操作だけで対応することができ、コネクタハウジング２０からの電線４０の導出方向の変更によりコネクタカバー１が多種化することを抑止することができる。
【００５８】
更に、以上に説明した一実施形態のコネクタカバー１の場合、電線案内部材２２０は、ハウジング固定部材２１０と電線案内部材２２０との間に形成された連結軸２３１と軸受部２３２との嵌合により、前記連結軸２３１の軸線と直交する方向に回動可能であり、電線４０の導出方向として、前記連結軸２３１の軸線と直交する方向に対向する２方向の何れかを選択することが可能になる。
【００５９】
また、回動させた電線４０案内壁は、ハウジング固定部材２１０と電線案内部材２２０との間に形成された突起２４１と係止凹部２４２との係合により所定の回動位置に固定されるため、電線４０の導出方向をしっかりと規制することができる。
【００６０】
なお、本発明のコネクタカバーは、前述した実施形態に限定されるものでなく、適宜、変形、改良等が可能である。
【００６１】
例えば、電線案内部材２２０を回動可能にハウジング固定部材２１０に連結する手段としての連結軸２３１及び軸受部２３２は、実施形態とは逆に、連結軸２３１を電線案内部材２２０に装備し、軸受部２３２をハウジング固定部材２１０に装備するようにしても良い。
【００６２】
また、電線案内部材２２０をハウジング固定部材２１０の後端２１１の２つの導出口２１２の一方を択一的に閉じた状態に固定する手段としての突起２４１と係止凹部２４２は、実施形態とは逆に、突起２４１を電線案内部材２２０に装備し、係止凹部２４２をハウジング固定部材２１０に装備するようにしても良い。
【００６３】
また、電線案内部材２２０を中立位置に固定する手段としての突起２５１及び係止凹部２５２も、実施形態とは逆に、突起２５１を電線案内部材２２０に装備し、係止凹部２５２をハウジング固定部材２１０に装備するようにしても良い。
【００６４】
更に、図示はしていないが、電線案内部材２２０を所定の回動位置に固定する手段は、上記実施形態に示した突起と係止凹部との組み合わせではなく、連結軸２３１に螺合するナット状の締め付け部材により電線案内部材２２０の側壁部２２１をハウジング固定部材２１０との間に挟持して固定するようにしても良い。
【符号の説明】
【００６５】
１  コネクタカバー
２０  コネクタハウジング
４０  電線
２１０  ハウジング固定部材
２１１  後端
２２０  電線案内部材
２３１  連結軸
２３２  軸受部
２４１  突起
２４２  係止凹部
２５１  突起
２５２  係止凹部
【図１】
2013110026.tif 000003
【図２】
2013110026.tif 000004
【図３】
2013110026.tif 000005
【図４】
2013110026.tif 000006
【図５】
2013110026.tif 000007
【図６】
2013110026.tif 000008
【図７】
2013110026.tif 000009
【図８】
2013110026.tif 000010
【図９】
2013110026.tif 000011